(57)【要約】【課題】  遺失物検索管理は、遺失物はその種類が多様であるためその管理が複雑になり、遺失物の検索が難しいため持ち主に返還される遺失物は多くない状態にある。このため、遺失物検索管理事業者と利用者の双方に対して手間がかることなく、遺失物の管理、検索、返却時の持ち主確認等を簡単、迅速、正確に行えるようにした遺失物検索システムの実現が求められている。【解決手段】  本発明は、同一の識別コードが複数枚セットになった遺失物シールと、識別コードの信号を読み取りコードデータを認識するバーコード読取手段と遺失物が登録されているかを調査する遺失物情報検索手段とを具備する遺失物データベースとを持った遺失物管理用コンピュータシステムを使用した遺失物検索システムを実現することにより  問題を解決したものである。【選択図】              図１
2006309545.tif 000002
【特許請求の範囲】
【請求項１】
同一の識別コードが複数枚セットになった遺失物シール、
識別コードの信号を読み取りデータを認識する識別コード読取手段と、
遺失物に関する各種情報を入力させる情報入力手段と
前記識別コード読取手段により認識されたコード信号と、前記入力手段により入力された前記遺失物に関する各種情報とを対応付けて記憶する遺失物情報格納手段と
利用者の所有する遺失物シールの識別コードの信号をキーにして前記遺失物情報格納手段を検索して、該利用者の遺失物に係わる情報を検索し、遺失物が登録されているかを調査する遺失物情報検索手段とを具備する遺失物データベースとを持った遺失物管理用コンピュータシステム、
を使用し、
利用者は、遺失物シールの識別コードの１枚を親シールとして保持し、遺失の可能性のある所有物に遺失物シールの識別コードを付けておくことにより、
遺失物に前記遺失物シールの識別コードの１枚が付されている場合、遺失物管理用コンピュータシステムの識別コード読取手段により遺失物シールの識別コードの信号を読み取り、識別コード読取手段により読取られたコード信号に対応させて、遺失物管理用コンピュータシステムの情報入力手段により遺失物に関する各種情報を入力して遺失物情報格納手段に記憶させておき、
利用者より遺失物の検索依頼があった場合には、利用者の所有する遺失物シールを遺失物管理用コンピュータシステムの識別コード読取手段により読み取り、読み取られた識別コードの信号をキーにして遺失物管理用コンピュータシステムの記遺失物情報格納手段を検索して、利用者の遺失物に係わる情報を検索するようにしたことを特徴とする識別コードを使用した遺失物検索システム。
【請求項２】
遺失物管理センター等で販売される同一の識別コードが複数枚セットになった遺失物シール、
遺失物管理センターに設けた識別コードの信号を読み取りコードデータを認識する識別コード読取手段と、
遺失物に関する各種情報を入力させる情報入力手段と
前記識別コード読取手段により認識されたコード信号と、前記入力手段により入力された前記遺失物に関する各種情報とを対応付けて記憶する遺失物情報格納手段と
利用者の所有する遺失物シールの識別コードの信号をキーにして前記遺失物情報格納手段を検索して、該利用者の遺失物に係わる情報を検索し、遺失物が登録されているかを調査する遺失物情報検索手段とを具備する遺失物データベースとを持った遺失物管理用コンピュータシステム、
を使用し、
利用者は、遺失物シールの識別コードの１枚を親シールとして保持し、遺失の可能性のある所有物に遺失物シールの識別コードを付けておくことにより、
遺失物管理センターでは、届けられた遺失物に前記遺失物シールの識別コードの１枚が付されている場合、遺失物管理用コンピュータシステムの識別コード読取手段により遺失物シールの識別コードの信号を読み取り、識別コード読取手段により読取られたコード信号に対応させて、遺失物管理用コンピュータシステムの情報入力手段により遺失物に関する各種情報を入力して遺失物情報格納手段に記憶させておき、
利用者より遺失物の検索依頼があった場合には、利用者の所有する遺失物シールを遺失物管理用コンピュータシステムの識別コード読取手段により読み取り、読み取られた識別コードの信号をキーにして遺失物管理用コンピュータシステムの記遺失物情報格納手段を検索して、利用者の遺失物に係わる情報を検索するようにしたことを特徴とする識別コードを使用した遺失物検索システム。
【請求項３】
遺失物管理センター等で販売される同一の識別コードが複数枚セットになった遺失物シールと、遺失物シールの１枚を親シールとして貼り付けて保持する遺失物カード、
遺失物管理センターに設けた識別コードの信号を読み取りコードデータを認識する識別コード読取手段と、遺失物に関する各種情報を入力させる情報入力手段と、前記識別コード読取手段により認識されたコード信号と、前記入力手段により入力された前記遺失物に関する各種情報とを対応付けて記憶する遺失物情報格納手段と、利用者の所有する遺失物シールの識別コードの信号をキーにして前記遺失物情報格納手段を検索して、該利用者の遺失物に係わる情報を検索し、遺失物が登録されているかを調査する遺失物情報検索手段とを具備する遺失物データベースとを持った遺失物管理用コンピュータシステム、
を使用し、
利用者は、遺失物シールの識別コードの１枚を遺失物カードに親シールとして貼り付けて保持し、遺失の可能性のある所有物に遺失物シールの識別コードを付けておくことにより、
遺失物管理センターでは、届けられた遺失物に前記遺失物シールの識別コードの１枚が付されている場合、遺失物管理用コンピュータシステムの識別コード読取手段により遺失物シールの識別コードの信号を読み取り、識別コード読取手段により読取られたコード信号に対応させて、遺失物管理用コンピュータシステムの情報入力手段により遺失物に関する各種情報を入力して遺失物情報格納手段に記憶させておき、
利用者より遺失物の検索依頼があった場合には、利用者の所有する遺失物カードに貼り付けられている識別コードを遺失物管理用コンピュータシステムの識別コード読取手段により読み取り、読み取られた識別コードの信号をキーにして遺失物管理用コンピュータシステムの記遺失物情報格納手段を検索して、利用者の遺失物に係わる情報を検索するようにしたことを特徴とする識別コードを使用した遺失物検索システム。
【請求項４】
遺失物管理センター等で販売される同一の識別コードが複数枚セットになった遺失物シールと、シールの１枚を貼り付ける場所を持った遺失物検索依頼のはがき、
遺失物管理センターに設けた識別コードの信号を読み取りコードデータを認識する識別コード読取手段と、遺失物に関する各種情報を入力させる情報入力手段と、前記識別識別コード読取手段により認識されたコード信号と、前記入力手段により入力された前記遺失物に関する各種情報とを対応付けて記憶する遺失物情報格納手段と、利用者の所有する遺失物シールの識別コードの信号をキーにして前記遺失物情報格納手段を検索して、該利用者の遺失物に係わる情報を検索し、遺失物が登録されているかを調査する遺失物情報検索手段とを具備する遺失物データベースとを持った遺失物管理用コンピュータシステム、
を使用し、
利用者は、遺失物シールの識別コードの１枚を遺失物カードに親シールとして貼り付けて保持し、遺失の可能性のある所有物に遺失物シールの識別コードを付けておくことにより、
遺失物管理センターでは、届けられた遺失物に前記遺失物シールの識別コードの１枚が付されている場合、遺失物管理用コンピュータシステムの識別コード読取手段により遺失物シールの識別コードの信号を読み取り、識別コード読取手段により読取られたコード信号に対応させて、遺失物管理用コンピュータシステムの情報入力手段により遺失物に関する各種情報を入力して遺失物情報格納手段に記憶させておき、
利用者より遺失物検索依頼のはがきによる遺失物の検索依頼があった場合には、はがきに貼り付けられている識別コードを遺失物管理用コンピュータシステムの識別コード読取手段により読み取り、読み取られた識別コードの信号をキーにして遺失物管理用コンピュータシステムの記遺失物情報格納手段を検索して、利用者の遺失物に係わる情報を検索するようにしたことを特徴とする識別コードを使用した遺失物検索システム。
【請求項５】
請求項１乃至４において、識別コードにバーコードを使用することを特徴とする識別コードを使用した遺失物検索システム。
【請求項６】
請求項１乃至４において、遺失物管理用コンピュータシステムは、複数の場所に分散して設置され、遺失物管理用コンピュータはネットワーク（公衆回線網あるいは専用線等）を介して接続し、データを共有するように構成されていることを特徴とする識別コードを使用した遺失物検索システム。
【請求項７】
請求項１乃至４において、遺失物シールおよび、または遺失物カードには、遺失物検索システムを表示するマークが付けられていることを特徴とする識別コードを使用した遺失物検索システム。
【請求項８】
請求項１乃至４において、遺失物シールをストラップに貼って利用者の所有物に付けるようにしたことを特徴とする識別コードを使用した遺失物検索システム。
【発明の詳細な説明】
【技術分野】
【０００１】
本発明は、識別コードを使用した遺失物検索システムに関するものである。
本発明の識別コードを使用した遺失物検索システムは、遺失物の検索を迅速に行うと共に、遺失物の管理等が容易なに行えるようにしたシステムに関するものである。
【背景技術】
【０００２】
人の多く集まる遊園地や鉄道等においては、忘れ物、落とし物等の遺失物が多く発生しているが、これらの遺失物はその数も膨大なものとなり、また持ち主等は持ち物を紛失した場所を特定するのも難しいことが多く、遺失物に持ち主の名前が書かれている場合等を除いては、遺失物を探し出すことは非常に困難であるだけでなく非常に手間が掛っている。このために遺失物が直ちに持ち主に戻されるケースは少ないのが実状であり、これらの遺失物を一時的に保管し、持ち主に返すという遺失物管理検索業務が各所で行われている。
遺失の物管理検索業務では、遺失物の保管・管理・検索等の為に、遺失物を保管するセンターに集めて遺失物に関する品名、メーカー・ブランド、色等の遺失物の特徴を記した遺失物リストを作製して、持ち主からの電話等の問い合わせに応じて該当する遺失物を検索するような方法が行われているが、これらの作業は人手によって、端末に打込んだり、あるいは書込んだりしていた為、手間が掛かり、また誤りが発生し易いという問題があった。また、遺失物はその種類が多様であるためその管理が複雑になり、遺失物の検索が難しいため持ち主に返還される遺失物は多くない状態にある。
このような問題に対処するために、定期券を本人識別のコード信号としたバーコードを使用した遺失物検索管理のシステムが、特開２０００−２７６５２９号公報に提案されている。
【０００３】
【特許文献１】特開２０００−２７６５２９号公報，
【特許文献２】特開平１１−８４１８１号公報，
【発明の開示】
【発明が解決しようとする課題】
【０００４】
定期券を本人識別のコード信号としたバーコードを使用した遺失物検索管理のシステムは、遺失物の検索は迅速に行われるが、このシステムを利用できる人は定期券を持った人に限られ、その範囲も定期券を発行した鉄道の管理領域に限定される。又、最近では、定期券に変えてキャッシュカード等が広く使用されるようになり、定期券利用者も限られているため、広く活用できる状態には無い。
又、このバーコードを使用した遺失物検索管理のシステムでは、定期券を発行すると同時に、遺失物が無くても遺失物検索管理のデータベースに定期券の持ち主のデータが登録されるために、利用者のプライバシーの保護に問題があるだけでなく、データが膨大になりシステムが複雑になる欠点もある。
このため、遺失物検索管理事業者と利用者の双方に対して手間がかかることなく、遺失物の管理、検索、返却時の持ち主確認等を簡単、迅速、正確に行えるようにした遺失物検索システムの実現が求められている。
【課題を解決するための手段】
【０００５】
本発明は、同一の識別コードが複数枚セットになった遺失物シール、
識別コードの信号を読み取りコードデータを認識する識別コード読取手段と、
遺失物に関する各種情報を入力させる情報入力手段と
前記識別コード読取手段により認識されたコード信号と、前記入力手段により入力された前記遺失物に関する各種情報とを対応付けて記憶する遺失物情報格納手段と
利用者の所有する遺失物シールの識別コードの信号をキーにして前記遺失物情報格納手段を検索して、該利用者の遺失物に係わる情報を検索し、遺失物が登録されているかを調査する遺失物情報検索手段とを具備する遺失物データベースとを持った遺失物管理用コンピュータシステム、
を使用し、
利用者は、遺失物シールの識別コードの１枚を親シールとして保持し、遺失の可能性のある所有物に遺失物シールの識別コードを付けておくことにより、
遺失物に前記遺失物シールの識別コードの１枚が付されている場合、遺失物管理用コンピュータシステムの識別コード読取手段により遺失物シールの識別コードの信号を読み取り、識別コード読取手段により読取られたコード信号に対応させて、遺失物管理用コンピュータシステムの情報入力手段により遺失物に関する各種情報を入力して遺失物情報格納手段に記憶させておき、利用者より遺失物の検索依頼があった場合には、利用者の所有する遺失物シールを遺失物管理用コンピュータシステムの識別コード読取手段により読み取り、読み取られた識別コードの信号をキーにして遺失物管理用コンピュータシステムの記遺失物情報格納手段を検索して、利用者の遺失物に係わる情報を検索するようにした識別コードを使用した遺失物検索システムを実現することにより  問題を解決したものである。
本発明の識別コードを使用した遺失物検索システムは、利用者が、遺失物検索用の識別コードを自己の所有物に付しておくことにより、この所有物を遺失した場合には、自己の所有する検索用識別コードを用いて自己の遺失物の届け出情報を知ることが出来、また利用者は自己の遺失物の登録検索を簡単・確実に行うことが出来、利用者、事業者双方にとって手間が掛かることなく、遺失物の管理、検索等を行うことが出来る。
【発明の効果】
【０００６】
本発明の識別コードを使用した遺失物検索システムは、利用者が、遺失物検索用の識別コードを自己の所有物に付しておくだけで、あらかじめ利用者のデータを登録しておく必要が無く、この所有物を遺失した場合に自己の所有する遺失物検索用識別コードを用いて遺失物の登録検索が簡単・確実に行え、また利用者は自己の遺失物の届け出情報を知ることが出来る。このため、利用者のプライバシーが保護され、必要なデータだけが登録されるのでシステムが簡単になり、利用者、事業者双方にとって手間が掛ることなく、遺失物の管理、検索等が簡単、迅速、正確に行えるようになる。
【発明を実施するための最良の形態】
【０００７】
以下、図面を参照して、本発明の識別コードを使用した遺失物検索システムの実施形態について説明する。以下に説明する実施形態においては、識別コードにバーコードを使用した例について説明する。
図１は、本発明の識別コードを使用した遺失物検索システムに使用される遺失物シールと遺失物カードの構成を説明する図である。
図１において、（ａ）はバーコードを使用した遺失物シールの構成を示し、（ｂ）は遺失物カードの構成を示したものである。
図１の（ａ）において、１０は、遺失物シールである。遺失物シール１０には、複数枚の同一のバーコード１１が印刷されており、複数枚の同一のバーコード１１は個別に分離可能な状態になっている。複数枚の同一のバーコード１１には、必要に応じて夫々検索システムのマーク１２がセットで印刷されている。
複数枚の同一のバーコード１１の裏面には接着材が塗布されている。
遺失物シール１０のバーコード１１は、それぞれの遺失物シール１０に異なったコードのバーコード１１が割り当てられるものであり、異なった遺失物シール１０に同一のバーコード１１が付けられることが無いように管理されている。
【０００８】
異なった遺失物シール１０のバーコード１１の割り当て方法については、特に詳細には説明しないが、バーコード１１が重複しないように割り当てればよい。例えば、遺失物シール１０のバーコード１１に１０桁の数字信号を使用する場合には、この１０桁の数字の範囲内で異なった数字のバーコードが各遺失物シール１０に割り当てられるようにバーコード発行機を設定するだけで良く、本発明のバーコードを使用した遺失物検索システムでは、遺失物が発生するまでは、遺失物シール１０のバーコードの管理は不要である。
図１の（ｂ）において、２０は、遺失物カードである。遺失物カード２０は、遺失物シール１０のバーコード１１が添付された物品の所有者の証明に使用されるものである。
２１は、遺失物カード２０の遺失物シールの１枚のバーコードが添付される場所で、２２はあらかじめ印刷されている検索システムのマークである。２３は、遺失物カード２０の裏面を示したもので、遺失物の検索方法等の説明が記載されている。
【０００９】
図２は、図１に示した遺失物シールと遺失物カード使用方法を説明する図である。
図２の、図１と同一の部分には同一の符号を付けてその説明を省略する。
図１に示した遺失物シール１０と遺失物カード２０及び後で説明する遺失物連絡ハガキ等は、あらかじめセットで作製しておき遺失物管理センター等所で販売される。
図１の（ａ）の遺失物シール１０の複数枚の同一のバーコード１１の任意の１枚を便宜上親シールのバーコードとし、残りのバーコードを子シールのバーコードとして区別する。
図１に示した遺失物シール１０を購入した使用者は、図２の（ａ）に示すように、親シールのバーコード１１を遺失物カード２０のバーコードが添付される場所２１に貼って保持する。
又、図２の（ｂ）に示すように、子シールのバーコードの１枚１１を、遺失の可能性のある所有物５０に貼る。残りの子シールのバーコード１１は遺失の可能性のある所有物に１枚ずつ貼られる。
遺失の可能性のある所有物が、直接子シールのバーコード１１が貼り難いもの、例えばバック５１、携帯電話５２、小型カメラ５３などの場合には、図２の（ｃ）に示すように、ストラップに子シールのバーコードを貼ってこれをバック５１、携帯電話５２、小型カメラ５３などに取り付けることも出来る。
【００１０】
図３は、本発明の識別コードを使用した遺失物検索システムの構成と、識別コードのバーコードシールが貼り付けられた遺失物が、遺失物管理センターの受付に届けられたときに、当該遺失物の拾得届の処理を行う動作を説明した図である。
図３の、図１と図２と同一の部分には同一の符号を付けてその説明を省略する。
図３において、６０は、バーコード１１の貼られた所有物を見つけた拾得者、７０は、遺失物管理センターの受付窓口である。７１は、遺失物拾得者登録用紙である。
８０は、遺失物管理用コンピュータである。
遺失物管理用コンピュータ８０は、遺失物データ登録用に用意されているプログラムを実行することにより、バーコードリーダ８５で信号が読み取られると、ディスプレイ上に上記各種データを入力させる為の登録／入力画面を表示し、上記読み取ったバーコードコード信号に対応させる所定の形式で遺失物に関する各種情報を入力させる処理を行うコンピュータシステムである。
遺失物管理用コンピュータ８０は、バーコード１１を、光学的（赤外線等）に読み取るハンディスキャナ、ハンディターミナル等のバーコードコードリーダー８５を持ち、バーコードリーダ８５で読み取られたバーコードコード信号と、入力装置（キーボード等）から入力された各種データとを対応付けて、遺失物データベースの遺失物情報格納手段に記憶して保持する。遺失物情報格納手段に記憶する場合には、同一のバーコード１１が付けられた複数の遺失物が発生することを考慮して同一のバーコード１１にシーケンス番号を付加したデータベースとして管理される。
尚、遺失物管理用コンピュータ８０は、複数の遺失物管理センターに分散して設置されるものであるが、各遺失物管理センターに配置された遺失物管理用コンピュータ８０はネットワーク（公衆回線網あるいは専用線等）を介して接続し、データを共有するように構成することが可能であるので、以後の説明は単一のコンピュータとして説明する。
９０は、遺失物管理センターの７０の遺失物保管場所、Ａ１、Ａ２、Ａ３.・・・は、遺失物保管場所９０の保管ラックである。各保管ラックＡ１、Ａ２、Ａ３.・・・の各棚段０１、０２、０３・・・には、夫々独自のバーコード９１、９２、９３・・・が付けられている。
【００１１】
図２で示した子シールのバーコード１１の貼られた所有物を持ち主が紛失した場合、このバーコード１１の貼られた遺失物を見つけた拾得者６０により、遺失物管理センターの受付窓口７０に、遺失物５０として届けられる。
遺失物管理センターの係員は、届けられた遺失物５０にバーコード１１が貼り付けられている場合には、拾得者６０に遺失物管理センターの受付窓口７０において遺失物拾得者登録用紙７１に必要事項を記入してもらい遺失物届けの手続を行う。
遺失物届けの手続の終了後、遺失物５０は、遺失物管理センターの７０の遺失物保管場所９０の保管ラックＡ１の棚段０２に保管される。これらの手続が終了した後に、遺失物管理センターの係員は、遺失物５０に貼られているバーコード１１と、遺失物保管場所９０の保管ラックＡ１の棚段０２バーコード９２をバーコードリーダー８５により読み取り、遺失物管理用コンピュータ８０に入力する。これにより遺失物管理用コンピュータ８０の遺失物データベースが起動し、遺失物５０と遺失物拾得者登録用紙７１に記入された事項が、遺失物管理用コンピュータ８０に、その遺失物登録画面から遺失物データとして入力される。
【００１２】
遺失物管理用コンピュータ８０の遺失物データベースは、“拾得場所” “品名”“保管場所”“バーコードコード信号”等のフィールドを有するデータテーブルである。
拾得場所”、“品名”、及び“保管場所”の各フィールドに格納されるデータは、遺失物拾得者登録用紙７１より入力したデータである。“バーコードコード信号”のフィールドに格納されるデータは、バーコードリーダで読み取られた、遺失物のバーコード信号と遺失物保管場所のバーコード信号である。
これにより、遺失物５０に貼られているバーコード１１と遺失物５０の遺失物データと遺失物５０の遺失物保管場所９０の保管ラックＡ１の棚段０２のバーコード９２が遺失物管理用コンピュータ８０の遺失物データベースにリンクして保持される。
このように、遺失物のバーコードコード信号に対応付けて、当該遺失物に係わる各種情報を格納しておくことで、後に、遺失物の情報を検索する際にこのバーコード信号をキーにして遺失物データベースを検索して、必要なデータを取り出すことが可能になる。
上記ように、遺失物５０に貼られているバーコード１１の入力は、遺失物管理用コンピュータ８０のバーコードリーダにより自動的に行われ、これに対応する遺失物情報を所定の形式に従って入力するだけなので、遺失物の登録／管理が簡単に行えるようになり、また入力ミスが発生する可能性が低くなる。
【００１３】
図４は、本発明の識別コードを使用した遺失物検索システムの構成と、落主の遺失物検索依頼の処理の動作を説明する図である。
図４の、図１乃至図３と同一の部分には同一の符号を付けてその説明を省略する。
図４において、１００は、遺失物の落とし主、１１０は、受領書である。
シール１２を貼った所有物５０を紛失したことに気付いた遺失物の落とし主１００は、遺失物管理センターの受付窓口７０に行き、紛失した所有物５０が届けられているかの確認を行う。この時、遺失物の落とし主１００は管理センターの受付窓口７０で、親シール１１を貼った遭失物カード２０を提示する。
管理センターの受付窓口７０では、遺失物の落とし主１００が提示した遺失物カード２０の親シール１１をバーコードリーダにより読み取り、遺失物管理用コンピュータ８０に入力して遺失物データの中に、親シール１１と同じバーコード１１の付けられた遺失物５０が登録されているか否かの検索を行う。
遺失物管理用コンピュータ８０は、遺失物カード２０の親シール１１をバーコードリーダにより読み取ると、読み取った親シール１１の信号をコード信号として遺失物データのデータベースを検索することにより、対応するバーコード信号が登録されている否かの検索を行う。
【００１４】
遺失物データベースに、遺失物カード２０の親シール１１と同一のコード信号が格納されていた場合には遺失物情報が得られる。遺失物管理用コンピュータ８０は遺失物データベースから遺失物情報を読み出してこの遺失物情報をディスプレイ等に表示する。
遺失物管理用コンピュータ８０に入力して遺失物データを検索した結果、親シール１１と同じバーコード１１の付けられた遺失物５０が登録されていることが判明した場合には、遺失物の落とし主１００に対して、口頭で品名、メーカー／ブランド、色等の確認を行い、遺失物管理用コンピュータ８０に入力されている遺失物データとの整合チェックを行う。
遺失物データとの整合チェックに間違いがなければ、受領書１１０に遺失物の落とし主１００の署名をもらった後、遺失物管理用コンピュータ８０の遺失物データに記録されている、遺失物保管場所９０の保管ラックＡ１の棚段０２より遺失物５０を取り出して落とし主１００に返却する。
遺失物管理用コンピュータ８０遺失物検索は、バーコードだけをキーとして行われるので極めて迅速で確実に行うことが出来、遺失物が保管されているか否かを簡単に確認でき、更に保管されている場合には、その保管場所等を知ることができ、その保管場所へ行けば確実に遺失物を取り出すことができる。
【００１５】
遺失物の持ち主１００の確認は、遺失物カード２０の親シール１１のコード信号が、対象の遺失物５０に貼り付けられているバーコード１１のバーコードと同一のものであるか否かを、遺失物管理用コンピュータ８０により確認するので遺失物の受け渡しの不正も確実に防止出来る。
管理センターの受付窓口７０では、受領書１１０のデータを遺失物管理用コンピュータ８０に入力して、遺失物５０が落とし主１００に返却されたことを記録する。
又、遺失物管理用コンピュータ８０に入力して遺失物データを検索した結果、親シール１１と同じバーコード１１の付けられた遺失物５０が登録されていないことが判明した場合には、遺失物の持ち主１００が、入力された遺失物カード２０の親シール１１と同一のバーコード１１がつけられた遺失物５０を探していることを遺失物管理用コンピュータ８０に記録して、遺失物５０が届けられるのを待つ操作を行う。
遺失物の落とし主１００は、遺失物連絡ハガキの必要事項を記入して管理センターの受付窓口７０届けておくことにより、後日遺失物５０が届けられた場合に連絡を受けるような手続きを行う。
【００１６】
上記の図３の遺失物の拾得届の処理と図４の落主の遺失物検索処理の動作により、遺失物管理用コンピュータ８０には、落主の見つからない遺失物のデータと、遺失物が見つかってない落主の届出データが蓄積される。
落主が自己の所有物を遺失したことに気がつくのは、帰宅後であったりして、必ずしも遺失物管理センターの近く出ない場合が多い。
本発明のバーコードを使用した遺失物検索システムでは、落主の遺失物検索以来の手続きは、必ずしも図５に示すように落主が遺失物管理センターの受付窓口まで出向かなくても遺失物の検索が可能である。
図５は、本発明の識別コードを使用した遺失物検索システムに使用される遺失物検索以来の連絡はがきの構成を説明する図である。
図５において、（ａ）はその表面を示し、（ｂ）は裏面を示す下ものである。
連絡はがきの表面（ａ）には、あらかじめ検索システムの管理者の住所４０と名称４１が印刷されており、これを投函することにより、連絡はがきが検索システムの管理者に自動的に送られるようになっている。連絡はがきの裏面（ｂ）には、各遺失物シール１０のバーコードを添付する場所４２と、各遺失物シール１０のバーコードの添付された遺失物所有者を特定するための住所４３、氏名４４、電話番号４５等の記入欄が設けられている。
【００１７】
遺失物管理センターでは、図５に示すような遺失物検索以来の連絡はがきを受け取ると、その裏面に張られている各遺失物シール１０バーコードを添付する場所４２のバーコードをバーコードリーダにより読み取り、図４で説明したのと同様の操作を行い、遺失物管理用コンピュータ８０に登録された遺失物データを検索して、遺失物連絡はがきに貼られているバーコードと一致する遺失物が登録されているかを調査する。
遺失物管理用コンピュータ８０の遺失物データを検索し、該当する遺失物を発見した場合には、遺失物往復メール・遺失物往復ハガキにより、所有者に対して下記に示す返却方法の問い合わせの連絡を行う。
（ａ）遺失物を引き取りに来る：上記図４と同様にの動作を行う。
（ｂ）送ってほしい：料金を明記した振込用紙を封書で送付し振込みの確認後、宅配にて返却する。
（ｃ）処分してほしい：処分できるようにする。
【００１８】
又、遺失物管理用コンピュータ８０の遺失物データを検索し、該当する遺失物が発見されない場合には、図４に示すように、遺失物の持ち主１００が、入力された遺失物カード２０の親シール１１と同一のバーコード１１がつけられた遺失物５０を探していることを遺失物管理用コンピュータ８０に記録して、遺失物５０が届けられるのを待つ操作を行う。
尚、上述した実施形態の説明では、利用者の持ち物に添付させる識別用のものとして、バーコードをプリントしたシールを例にして説明したが、これに限るものではない。例えば、磁気ストラップが付いたシールを発行し、遺失物管理用コンピュータ側ではバーコードリーダに代えて磁気ストラップ認識装置を備えるようにしてもよい。
上記の説明より明らかなように、本発明の本発明の識別コードを使用した遺失物検索システムによれば、自己の持ち物に名前を書く等の面倒で且つ美観を損ねる行為をしなくとも、自己の持ち物にバーコードシールを貼っておくだけで、簡単に遺失物の検索を行えて保管場所を知ることができるので、利用者は手間が掛らず且つ確実に自己の遺失物を取り戻すことができる。これに伴って、遺失物管理センター等で保管する遺失物が、持ち主に引き取られていく確率が上がることも期待でき、従来の保管・管理コストが増大したり保管しきれなくなる等の問題が解消されることが期待できる。
【産業上の利用可能性】
【００１９】
本発明は、レジャーランド、鉄道等の人が集まり、遺失物が多く発生する産業で利用可能である。
【図面の簡単な説明】
【００２０】
【図１】図１は、本発明の識別コードを使用した遺失物検索システムに使用される遺失物シールと遺失物カードの構成を説明する図である。
【図２】図２は、図１に示した遺失物シールと遺失物カード使用方法を説明する図である。
【図３】図３は、本発明の識別コードを使用した遺失物検索システムの構成と、識別コードのバーコードシールが貼り付けられた遺失物が、遺失物管理センターの受付に届けられたときに、当該遺失物の拾得届の処理を行う動作を説明した図である。
【図４】図４は、本発明の識別コードを使用した遺失物検索システムの構成と、落主の遺失物検索依頼の処理の動作を説明する図である。
【図５】図５は、本発明の識別コードを使用した遺失物検索システムに使用される遺失物検索以来の連絡はがきの構成を説明する図である。
【符号の説明】
【００２１】
１０・・・遺失物シール
１１・・・遺失物シール１０に印刷された複数枚の同一のバーコード
１２・・・複数枚の同一のバーコード１１に夫々印刷されている検索システムのマーク
２０・・・遺失物カード
２１・・・遺失物カード２０の遺失物シールの１枚のバーコードが添付される場所
２２・・・あらかじめ印刷されている検索システムのマークで
２３・・・遺失物カード２０の裏面
４０・・・連絡はがきの表面に印刷された検索システムの管理者の住所
４１・・・連絡はがきの表面に印刷された検索システムの管理者の名称
４２・・・連絡はがきの裏面の遺失物シール１０のバーコードを添付する場所
４３・・・連絡はがきの裏面の遺失物所有者を特定するための住所記入欄
４４・・・連絡はがきの裏面の遺失物所有者を特定するための名前記入欄
４５・・・連絡はがきの裏面の遺失物所有者を特定するための電話番号記入欄
５０・・・遺失の可能性のある所有物
５１・・・直接子シールのバーコードが貼り難いバック
５２・・・直接子シールのバーコードが貼り難い携帯電話
５３・・・直接子シールのバーコードが貼り難い小型カメラ
６０・・・バーコード１１の貼られた所有物を見つけた拾得者
７０・・・遺失物管理センターの受付窓口
７１・・・遺失物拾得者登録用紙
８０・・・遺失物管理用コンピュータ
８５・・・バーコードリーダー
９０・・・遺失物管理センターの７０の遺失物保管場所
Ａ１、Ａ２、Ａ３.・・・遺失物保管場所９０の保管ラック
９１、９２、９３・・・保管ラッの段棚のバーコード
１００・・・遺失物の落とし主
１１０・・・受領書
【図１】
2006309545.tif 000003
【図２】
2006309545.tif 000004
【図３】
2006309545.tif 000005
【図４】
2006309545.tif 000006
【図５】
2006309545.tif 000007